(57)【要約】【課題】  映像信号及び／または音声信号を記録／再生できるディスプレイ装置及びその運用方法を提供する。【解決手段】  受信処理部、制御部、出力ユニットを含むディスプレイ装置。受信処理部は映像信号及び／または音声信号を受信する。制御部はユーザーが受信される映像信号及び／または音声信号の保存を要求すれば、受信処理部を使用して受信される映像信号及び／または音声信号をリアルタイムで外部保存媒体に保存し、ユーザーが外部保存媒体に保存されている映像信号及び／または音声信号の再生を要求すれば、外部保存媒体から保存された映像信号及び／または音声信号を再生する。出力ユニットは再生される映像信号及び／または音声信号を出力する。したがって、ディスプレイ装置を通じて受信された映像及び／または音声信号をリアルタイムで保存及び再生するためにディスプレイ装置に連結されているコンピュータをユーザーが別途に制御する必要がないだけでなく、そのためにコンピュータに別途のボードを具備するか、別途のプログラムをローディングする必要がない。【選択図】      図１
2004282754.tif 000002
【特許請求の範囲】
【請求項１】
外部保存媒体と連結されたディスプレイ装置において、
映像信号及び／または音声信号を受信する受信処理部と、
ユーザーが前記受信される映像信号及び／または音声信号の保存を要求すれば、前記受信処理部を通じて受信される映像信号及び／または音声信号をリアルタイムで前記外部保存媒体に保存し、前記ユーザーが前記外部保存媒体に保存されている映像信号及び／または音声信号の再生を要求すれば、前記外部保存媒体に保存された前記映像信号及び／または音声信号を再生する制御部と、
前記再生される映像信号及び／または音声信号を出力する出力ユニットとを含むディスプレイ装置。
【請求項２】
ユーザーの要求に応じて前記受信される映像信号及び／または音声信号が前記外部保存媒体に保存される時、前記制御部は前記受信される映像信号及び／または音声信号を前記出力ユニットを通じて出力するかどうかを決定する請求項１に記載のディスプレイ装置。
【請求項３】
前記受信処理部は、前記映像信号及び／または音声信号を含む放送信号または外部音声ビデオ装置から提供される前記映像信号及び／または音声信号を受信する請求項１に記載のディスプレイ装置。
【請求項４】
前記受信される映像信号及び／または音声信号が前記出力ユニットを利用してリアルタイムで出力される時、前記制御部は前記外部保存媒体へ／からの保存／再生を制御することを特徴とする請求項３に記載のディスプレイ装置。
【請求項５】
前記外部保存媒体から前記任意の映像信号及び／または音声信号を再生する時、前記制御部は、再生される映像信号及び前記リアルタイムで出力される前記受信される映像信号をＰＩＰフォーマット、ＰＢＰフォーマットで前記出力ユニット上に共にディスプレイする請求項４に記載のディスプレイ装置。
【請求項６】
ユーザーの入力が前記外部保存媒体の制御を要求すれば、前記制御部は、前記保存／再生のための前記外部保存媒体に関する管理情報を前記出力ユニットに出力し、前記外部保存媒体へ／からの前記受信された映像信号及び／または音声信号の保存／再生を管理するために前記管理情報を利用する請求項１に記載のディスプレイ装置。
【請求項７】
前記出力ユニットは、
前記受信される映像信号または／及び前記外部保存媒体から再生される映像信号をディスプレイするディスプレイ部と、
前記受信される音声信号または／及び前記外部保存媒体から再生される音声信号を出力するスピーカーとを含む請求項６に記載のディスプレイ装置。
【請求項８】
前記外部保存媒体に保存された映像信号及び／または音声信号を保存するための管理情報は、前記ディスプレイ部上にオンスクリーンディスプレイフォーマットでディスプレイされることを特徴とする請求項７に記載のディスプレイ装置。
【請求項９】
前記外部保存媒体に保存された映像信号及び／または音声信号を保存するための管理情報は前記スピーカーを通じて音声信号に出力されることを特徴とする請求項７に記載のディスプレイ装置。
【請求項１０】
前記管理情報は、前記外部保存媒体に保存可能な容量に対応する時間情報、前記外部保存媒体に保存された映像信号及び／または音声信号と追加的な映像信号及び／または音声信号とを有するリストを含むことを特徴とする請求項８に記載のディスプレイ装置。
【請求項１１】
前記再生される映像信号及び／または音声信号は、前記外部保存媒体に保存されている複数の再生可能な映像信号及び／または音声信号から選択された映像信号及び／または音声信号であり、前記選択された映像信号及び／または音声信号は前記管理情報を参照してユーザーにより選択されたことを特徴とする請求項８に記載のディスプレイ装置。
【請求項１２】
前記ユーザーの入力が前記外部保存媒体の制御を要求すれば、前記制御部は前記ユーザーの保存要求または再生要求に応じて入力される情報を前記出力ユニットを通じて出力する請求項１に記載のディスプレイ装置。
【請求項１３】
外部保存媒体と連結されたディスプレイ装置において、
映像信号及び／または音声信号を受信する受信処理部と、
前記外部保存媒体に対する仮想ファイルシステムを形成し、
ユーザーが前記受信された映像信号及び／または音声信号の保存を要求すれば、前記形成された仮想ファイルシステムに基づいて生成された情報を参照してリアルタイムで前記外部保存媒体に前記受信処理部を通じて受信される映像信号及び／または音声信号を保存し、
ユーザーが前記外部保存媒体に保存された前記映像信号及び／または音声信号の再生を要求すれば、前記仮想ファイルシステムに基づいて生成された情報を参照して前記外部保存媒体から前記保存された映像信号及び／または音声信号を再生する制御部と、
前記再生される映像信号及び／または音声信号を出力する出力ユニットとを含むディスプレイ装置。
【請求項１４】
前記制御部は、前記外部保存媒体に保存されているファイルシステムをダウンロードし、前記ダウンロードされたファイルシステムを利用して前記仮想ファイルシステムを形成する請求項１３に記載のディスプレイ装置。
【請求項１５】
前記制御部は、前記保存／再生を制御して前記受信処理部を通じて受信される映像信号及び／または音声信号を前記出力ユニットにリアルタイム出力することを特徴とする請求項１３に記載のディスプレイ装置。
【請求項１６】
前記仮想ファイルシステムに基づいて生成された情報は前記外部保存媒体に関する管理情報を含む請求項１３に記載のディスプレイ装置。
【請求項１７】
前記管理情報は、前記外部保存媒体の保存可能な容量に対応する時間情報、前記外部保存媒体に保存された映像信号及び／または音声信号と追加的な映像信号及び／または音声信号とを有するリストを含む請求項１６に記載のディスプレイ装置。
【請求項１８】
前記制御部は、前記管理情報が前記出力ユニットを通じてオンスクリーンディスプレイフォーマットで出力されるように前記管理情報を生成することを特徴とする請求項１７に記載のディスプレイ装置。
【請求項１９】
前記外部保存媒体から前記任意の映像信号及び／または音声信号を再生する時、前記制御部は、前記外部保存媒体から再生される映像信号と受信される映像信号とをＰＩＰフォーマット、ＰＢＰフォーマットで前記出力ユニットを使用して共にディスプレイする請求項１３に記載のディスプレイ装置。
【請求項２０】
外部保存媒体と連結されたディスプレイ装置において、
映像信号及び／または音声信号を受信する受信処理部と、
ユーザーが前記受信される映像信号及び／または音声信号の保存を要求すれば、圧縮モードに設定されて前記受信処理部を通じて受信される前記映像信号及び／または音声信号を圧縮し、前記ユーザーが前記外部保存媒体に保存された映像信号及び／または音声信号の再生を要求すれば、復元モードに設定されて前記外部保存媒体から出力される映像信号及び／または音声信号を復元する圧縮及び復元部と、
前記再生される映像信号及び／または音声信号を出力する出力ユニットと、
前記ユーザーが前記保存を要求すれば、前記圧縮及び復元部を圧縮モードで制御し、前記圧縮及び復元部で圧縮された映像信号及び／または音声信号を前記外部保存媒体にリアルタイムで保存し、前記ユーザーが前記再生を要求すれば、前記外部保存媒体から出力される前記映像信号及び／または音声信号を前記圧縮及び復元部を通じて前記出力ユニットに出力する制御部とを含むディスプレイ装置。
【請求項２１】
前記制御部は、前記外部保存媒体に対する仮想ファイルシステムを形成し、前記仮想ファイルシステムを利用して前記外部保存媒体へ／からの前記映像信号及び／または音声信号の保存／再生を制御する請求項２０に記載のディスプレイ装置。
【請求項２２】
前記制御部は、前記外部保存媒体に保存されているファイルシステムをダウンロードし、前記ダウンロードされたファイルシステムを利用して前記仮想ファイルシステムを形成する請求項２１に記載のディスプレイ装置。
【請求項２３】
ユーザーの入力が前記外部保存媒体の制御を要求すれば、前記制御部は前記仮想ファイルシステムを形成することを特徴とする請求項２１に記載のディスプレイ装置。
【請求項２４】
前記制御部は、前記仮想ファイルシステムを利用して前記外部保存媒体に保存された映像信号及び／または音声信号を管理するための管理情報を生成し、前記管理情報を前記出力ユニットに出力する請求項２０に記載のディスプレイ装置。
【請求項２５】
前記制御部は、前記出力ユニット上にオンスクリーンディスプレイフォーマットで出力されるように前記管理情報を生成することを特徴とする請求項２４に記載のディスプレイ装置。
【請求項２６】
前記管理情報は、前記外部保存媒体の保存可能な容量に対応する時間情報、前記外部保存媒体に保存されている映像信号及び／または音声信号と追加的な映像信号及び／または音声信号とを有するリストを含む請求項２４に記載のディスプレイ装置。
【請求項２７】
前記受信される映像信号及び音声信号が前記出力ユニットを通じてリアルタイム出力される時、前記制御部は、前記外部保存媒体へ／からの前記受信された映像信号及び／または音声信号の保存／再生を制御する請求項２０に記載のディスプレイ装置。
【請求項２８】
前記外部保存媒体から前記任意の映像信号及び／または音声信号を再生する時、前記制御部は、前記圧縮及び復元部で復元された映像信号と前記受信される映像信号とをＰＩＰフォーマットまたはＰＢＰフォーマットで出力ユニット上に共にディスプレイする請求項２７に記載のディスプレイ装置。
【請求項２９】
前記外部保存媒体に前記受信される映像信号及び／または音声信号を保存する時、ユーザー字の要求に応じて前記制御部は、前記出力ユニットを利用して前記受信される映像信号及び音声信号の出力如何を決定することを特徴とする請求項２０に記載のディスプレイ装置。
【請求項３０】
外部保存媒体と連結されたディスプレイ装置の運用方法において、
前記ディスプレイ装置において映像信号及び音声信号を受信する段階と、
ユーザーが前記受信された映像信号及び／または音声信号の保存を要求すれば、受信される映像信号及び／または音声信号をリアルタイムで前記外部保存媒体に保存する段階と、
前記ユーザーが前記外部保存媒体からの前記保存された映像及び／または音声信号の再生を要求すれば、前記外部保存媒体から前記保存された映像信号及び／または音声信号を再生する段階とを含むディスプレイ装置の運用方法。
【請求項３１】
前記ディスプレイ装置の運用方法は、
前記外部保存媒体に対する仮想ファイルシステムを形成する段階と、
前記仮想ファイルシステムを利用して前記外部保存媒体に関する管理情報を生成する段階と、
前記ユーザーが前記受信された映像信号及び／または音声信号の再生または保存を要求する前に前記ユーザーに前記生成された管理情報を提供する段階とをさらに含む請求項３０に記載のディスプレイ装置の運用方法。
【請求項３２】
前記ユーザーが前記外部保存媒体の制御を要求すれば、前記仮想ファイルシステム形成段階が行われることを特徴とする請求項３１に記載のディスプレイ装置の運用方法。
【請求項３３】
前記仮想ファイルシステムは、前記外部保存媒体に保存されているファイルシステムをダウンロードして前記ディスプレイ装置に形成し、前記ダウンロードされたファイルシステムを使用して前記仮想ファイルシステムを形成する請求項３２に記載のディスプレイ装置の運用方法。
【請求項３４】
前記オンスクリーンディスプレイフォーマットで前記管理情報を出力する段階をさらに含む請求項３１に記載のディスプレイ装置の運用方法。
【請求項３５】
前記再生段階は、前記オンスクリーンディスプレイフォーマットで出力される前記管理情報を参照してユーザーが前記外部保存媒体に保存された複数の再生可能な映像信号及び／または音声信号のうち選択された一つの映像信号及び／または音声信号の再生を要求することを示すユーザー選択を受信する段階を含む請求項３４に記載のディスプレイ装置の運用方法。
【請求項３６】
前記管理情報は、前記外部保存媒体に保存可能な容量に対応する時間情報、前記外部保存媒体に前記受信された映像信号及び／または音声信号と追加的な映像信号及び／または音声信号とを有するリストを含む請求項３１に記載のディスプレイ装置の運用方法。
【請求項３７】
前記外部保存媒体へ／から前記受信された映像信号及び／または音声信号を保存／再生する間、前記ディスプレイ装置を通じてリアルタイムで前記受信される映像信号及び／または音声信号を出力する段階をさらに含む請求項３０に記載のディスプレイ装置の運用方法。
【請求項３８】
前記再生段階は、リアルタイムで受信される前記映像信号と前記外部保存媒体から再生される映像信号とがＰＩＰフォーマット、ＰＢＰフォーマットで共にディスプレイされるように行われる請求項３７に記載のディスプレイ装置の運用方法。
【請求項３９】
前記受信される映像信号及び／または音声信号を保存する時、ユーザーの要求に応じて前記受信される映像信号及び／または音声信号を前記ディスプレイ装置を通じて出力するかどうかを決定することを特徴とする請求項３０に記載のディスプレイ装置の運用方法。
【請求項４０】
前記生成された管理情報を提供する段階は、前記外部保存媒体を制御するにおいてユーザーが使用するために要求する情報を提供する段階を含む請求項３１に記載のディスプレイ装置の運用方法。
【請求項４１】
外部保存媒体と連結されたディスプレイ装置の運用方法において、
前記ディスプレイ装置から映像信号及び／または音声信号を受信する段階と、
ユーザーが前記受信される映像信号及び／または音声信号の保存を要求すれば、前記受信される映像信号及び／または音声信号を圧縮する段階と、
リアルタイムで前記圧縮された映像信号及び／または音声信号を前記外部保存媒体に保存する段階と、
前記ユーザーが前記映像信号及び／または音声信号の再生を要求すれば、前記外部保存媒体に保存された前記保存及び／または圧縮された映像及び／または音声信号を復元する段階と、
前記ディスプレイ装置を利用して前記復元された映像及び／または音声信号を出力する段階と、を含むディスプレイ装置の運用方法。
【請求項４２】
前記ディスプレイ装置の運用方法は、
前記外部保存媒体に関する仮想ファイルシステムを形成する段階と、
前記圧縮段階または復元段階を行う前に前記仮想ファイルシステムに基づいて生成された前記外部保存媒体に関する管理情報を出力する段階とをさらに含む請求項４１に記載のディスプレイ装置の運用方法。
【請求項４３】
前記圧縮された映像信号及び／または音声信号を保存及び復元する段階は、前記出力される管理情報を参照して前記圧縮された映像信号及び／または音声信号の保存／再生をユーザーが要求する段階を含む請求項４２に記載のディスプレイ装置の運用方法。
【請求項４４】
ユーザーが前記外部保存媒体の制御を要求すれば、前記仮想ファイルシステム形成段階が行われることを特徴とする請求項４２に記載のディスプレイ装置の運用方法。
【請求項４５】
前記装置は、
前記受信処理部を収納するハウジング、前記制御部及びインターフェースを有する前記出力ユニットを含み、
前記外部保存媒体は前記ハウジングの外部にあり、前記制御部は前記インターフェースを制御して前記受信された映像信号及び音声信号が前記インターフェースを通じて前記外部保存媒体に保存されるように伝送する請求項１に記載のディスプレイ装置。
【請求項４６】
前記インターフェースはＵＳＢインターフェースであることを特徴とする請求項４５に記載のディスプレイ装置。
【請求項４７】
前記装置は、
前記外部保存媒体へ／からの前記受信された映像信号及び／または音声信号を含むデータの保存／復元を制御する他の制御部と前記外部保存媒体とを含む外部保存装置をさらに含み、
前記制御部は、前記外部保存媒体へ前記受信された映像信号及び／または音声信号を保存するために前記他の制御部に前記インターフェースを通じて命令語を伝送することを特徴とする請求項４５に記載のディスプレイ装置。
【請求項４８】
前記装置は、
前記外部保存媒体を含む外部保存装置をさらに含み、
前記制御部は、前記インターフェースを通じて前記外部保存媒体への前記受信される映像信号及び／または音声信号の保存を制御することを特徴とする請求項４５に記載のディスプレイ装置。
【発明の詳細な説明】
【技術分野】
【０００１】
本発明は映像信号及び／または音声信号を保存／再生できるディスプレイ装置及びその運用方法に係り、特に、映像信号及び／または音声信号を含む受信される放送信号または外部音声ビデオ（ＡＶ）機器から受信された映像信号及び／または受信された音声信号を外部保存媒体にリアルタイムで保存／再生できるディスプレイ装置及びその運用方法に関する。
【背景技術】
【０００２】
現在提案されているディスプレイ装置は、単純にパソコンから提供されるコンテンツをディスプレイする水準を超えて空中波放送信号または外部ＡＶ機器から提供される映像信号及び／または音声信号を受信してディスプレイできるように構成されている。前述したディスプレイ装置は、例えば多機能モニターまたは多機能ＬＣＤ（液晶表示）モニターである。
【０００３】
前記ディスプレイ装置は一般的にチューナーとデコーダとを含んで前述した動作を行う。しかし、前記ディスプレイ装置は、受信された放送信号または外部ＡＶ機器から提供される映像信号及び／または音声信号の保存及び再生を自体的に行えない。したがって、前記ディスプレイ装置を通じて前記保存及び再生を行うために、ユーザーは前記ディスプレイ装置に連結されているパソコンを制御せねばならない。
【０００４】
前記信号の保存／再生を試みる度にユーザーは前記パソコンにローディングされている関連プログラムを別途に運用せねばならない。また、ディスプレイ装置を通じて受信された映像信号及び／または音声信号をパソコンに備えられている保存媒体に保存するために、パソコンにＴＶ統合ボードのようなボードが別途に備えられねばならない。
【発明の開示】
【発明が解決しようとする課題】
【０００５】
本発明は、空中波を通じて受信された放送信号または外部ＡＶ機器から受信された映像信号及び／または音声信号を外部保存媒体へ／からリアルタイムで保存／再生できるディスプレイ装置及びその運用方法を提供するところにその目的がある。
【０００６】
本発明の他の目的は、ディスプレイ装置に連結されているコンピュータの関与なしに受信された放送信号または外部ＡＶ機器から受信された映像信号及び／または音声信号を外部保存媒体へ／からリアルタイムで保存／再生できるディスプレイ装置及びその運用方法を提供するところにある。
【０００７】
本発明のまた他の目的は、受信された放送信号または外部ＡＶ機器から受信された映像信号及び／または音声信号をリアルタイムで保存／再生する時、保存／再生される映像信号をユーザーの所望のフォーマットでディスプレイできるディスプレイ装置及びその運用方法を提供するところにある。
【０００８】
本発明のさらに他の目的は、放送信号または外部ＡＶ機器から受信される映像信号及び／または音声信号をリアルタイムで出力しつつ、放送信号または映像信号及び／または音声信号を外部保存媒体へ／から保存／再生できるディスプレイ装置及びその運用方法を提供するところにある。
【０００９】
本発明のさらに他の目的は、外部保存媒体のファイルシステムに基づいて外部保存媒体を管理しつつ、受信された映像及び／または音声信号をリアルタイムで外部保存媒体へ／から記録／再生できるディスプレイ装置及びその運用方法を提供するところにある。
【００１０】
本発明のさらに他の目的は、外部保存媒体に関する管理情報をユーザーに通報して前記外部保存媒体へ／からの映像信号及び／または音声信号の保存／再生をユーザーが選択的に運用できるディスプレイ装置及びその運用方法を提供するところにある。
【課題を解決するための手段】
【００１１】
本発明の課題に解決するために、本発明は、映像信号及び／または音声信号を受信する受信処理部と、ユーザーが受信される映像信号及び／または音声信号の保存を要求すれば、受信処理部を通じて受信される映像信号及び／または音声信号をリアルタイムで外部保存媒体に保存し、ユーザーが外部保存媒体に保存されている任意の映像信号及び／または音声信号の再生を要求すれば、外部保存媒体に保存された任意の映像信号及び／または音声信号を再生する制御部と、任意の映像信号及び／または音声信号を出力する出力ユニットとを含むディスプレイ装置を提供する。
【００１２】
本発明の他の課題を解決するために、本発明は、映像信号及び／または音声信号を受信する受信処理部と、外部保存媒体に対する仮想ファイルシステムを形成し、仮想ファイルシステムに基づいて生成された情報を参照してユーザーが受信される映像信号及び／または音声信号の保存を要求すれば、受信処理部を通じて受信される映像信号及び／または音声信号を前記外部保存媒体にリアルタイムで保存し、仮想ファイルシステムに基づいて生成された情報を参照してユーザーが外部保存媒体に保存されている任意の映像信号及び／または音声信号の再生を要求すれば、外部保存媒体から前記任意の映像信号及び／または音声信号を再生する制御部と、再生される映像信号及び／または音声信号を出力する出力ユニットと、を含むディスプレイ装置を提供する。
【００１３】
本発明のさらに他の課題を解決するために、本発明は、映像信号及び／または音声信号を受信する受信処理部と、ユーザーが前記受信される映像信号及び／または音声信号の保存を要求すれば、圧縮モードに設定されて受信処理部から受信される映像信号及び／または音声信号を圧縮し、ユーザーが外部保存媒体に保存された任意の映像信号及び／または音声信号の再生を要求すれば、復元モードに設定されて外部保存媒体から出力される映像信号及び／または音声信号を復元する圧縮及び復元部と、映像信号及び／または音声信号を出力する出力ユニットと、ユーザーが保存を要求すれば、圧縮及び復元部を圧縮モードで制御し、圧縮及び復元部で圧縮された映像信号及び／または音声信号を外部保存媒体にリアルタイムで保存し、ユーザーが再生を要求すれば、外部保存媒体から出力される任意の映像信号及び／または音声信号を圧縮及び復元部を通じて出力ユニットに出力する制御部と、を含むディスプレイ装置を提供する。
【００１４】
本発明のさらに他の課題を解決するために、本発明は、映像信号及び音声信号を受信する段階と、ユーザーが受信された映像信号及び／または音声信号の保存を要求すれば、受信される映像信号及び／または音声信号をリアルタイムで前記外部保存媒体に保存する段階と、前記ユーザーが前記外部保存媒体からの任意の映像及び／または音声信号の再生を要求すれば、前記外部保存媒体から前記任意の映像信号及び／または音声信号を再生する段階と、を含むディスプレイ装置の運用方法を提供する。
【００１５】
本発明のさらに他の課題を解決するために、本発明は、映像信号及び／または音声信号を受信する段階と、ユーザーが受信される映像信号及び／または音声信号の保存を要求すれば、受信される映像信号及び／または音声信号を圧縮する段階と、リアルタイムで前記圧縮された映像信号及び／または音声信号を前記外部保存媒体に保存する段階と、前記ユーザーが前記外部保存媒体に保存された任意の記映像信号及び／または音声信号の再生を要求すれば、前記任意の映像及び／または音声信号を復元する段階と、前記復元された映像及び／または音声信号を出力する段階とを含むディスプレイ装置の運用方法を提供する。
【発明の効果】
【００１６】
本発明によれば、ユーザーがディスプレイ装置に連結されているパソコンまたは他の電子装置を制御せずにディスプレイ装置だけ制御して受信された映像及び音声信号をパソコンに備えられている保存媒体に保存し、これを再生できるため、ディスプレイ装置を通じて受信された映像及び音声信号を保存及び再生するためにユーザーがパソコンを別途に制御する必要がない。また、前記保存及び再生のためにパソコンに関するプログラムをローディングするか、ＴＶ統合ボードなどのボードを別途に設置する必要がない。
【００１７】
また、パソコンではないＵＳＢ端子が備えられている保存及び再生装置であれば、いかなる装置でもディスプレイ装置を通じて受信された映像及び／または音声信号を保存及び再生できる。
【００１８】
そして、ディスプレイ装置から受信された映像及び音声信号を圧縮して外部保存媒体に伝送することによって、外部保存媒体の保存容量を向上させうる。
【００１９】
さらに、保存及び再生される映像信号のディスプレイフォーマットをユーザーが選択できて多様な保存及び再生環境を提供できる。
【発明を実施するための最良の形態】
【００２０】
以下、添付された図面を参照して本発明による実施例を詳細に説明する。
【００２１】
図１は、本発明の一実施例によるディスプレイ装置とその周辺機器のブロック図である。図１に示されたシステムは、アンテナ１００、本発明の実施例によるディスプレイ装置１１０、リモコン１３０及びパソコン１４０で構成される。
【００２２】
本発明の課題を解決するために、アンテナ１００は映像信号及び／または音声信号を含む放送信号を受信する。しかし、アンテナ１００は他のタイプの信号を受信することができる。また、パソコン１４０の代わりにまたはパソコン１４０以外に他のタイプの電子装置が使われうる。前記他のタイプの電子装置は、例えば個人デジタル補助器、ＭＰ３プレーヤーなどのデジタル音楽／ファイル再生器、デジタルビデオレコーダ、及びデータをディスプレイ及び保存するために連結される装置である。
【００２３】
ディスプレイ装置１１０の図示された実施例は、映像及び音声信号受信処理部１１１、映像信号処理部１１２、ディスプレイ部１１３、音声信号処理部１１４、スピーカー１１５、圧縮及び復元部１１６、情報受信部１１７、ＣＰＵ１１８、ＵＳＢ（Ｕｎｉｖｅｒｓａｌ  Ｓｅｒｉａｌ  Ｂｕｓ）コントローラ１１９、オンスクリーンディスプレイ（以下、ＯＳＤ）情報生成部１２０を含む。
【００２４】
映像及び音声信号受信処理部１１１は、ＣＰＵ  １１８により制御されてアンテナ１００を通じて前記放送信号または外部ＡＶ機器（図示せず）から伝送される映像信号及び／または音声信号を受信する。外部ＡＶ機器から、またはアンテナ１００を通じて受信された映像信号は、映像信号処理部１１２と圧縮及び復元部１１６とにそれぞれ出力される。外部ＡＶ機器から、またはアンテナ１００を通じて受信された音声信号は、音声信号処理部１１４と圧縮及び復元部１１６とにそれぞれ出力される。
【００２５】
一方、ディスプレイ装置１１０は他のソースから信号を受信でき、アンテナ１００及び外部装置から信号を受信する必要がない場合もある。ＣＰＵ  １１８は特定のタイプのマイクロプロセッサーまたはプロセッサーに制限されない。
【００２６】
映像信号処理部１１２はＣＰＵ  １１８により制御される。映像信号処理部１１２は、映像及び音声信号受信処理部１１１から伝送される映像信号と、圧縮及び復元部１１６から伝送される映像信号のうち少なくとも一つの映像信号がディスプレイ部１１３にディスプレイされるように処理する。映像信号処理部１１２は、映像及び音声信号受信処理部１１１から伝送される映像信号と、圧縮及び復元部１１６から伝送される映像信号とがＰＩＰ（ピクチャインピクチャ）フォーマット、ＰＢＰ（ピクチャバイピクチャ）フォーマットなどの多様なディスプレイフォーマットのうちいずれかのフォーマットで共にディスプレイされるように処理する。しかし、映像信号処理部１１２は、本発明のあらゆる技術的課題において前述したようにディスプレイされるように処理する必要はない。
【００２７】
前記ディスプレイフォーマットはＣＰＵ  １１８により決定される。ＣＰＵ  １１８は、情報受信部１１７を通じて受信されるユーザーの要求（またはユーザー命令）に応じて前記ディスプレイフォーマットを決定する。ＣＰＵ  １１８は前記決定されたディスプレイフォーマットによって映像信号がディスプレイされるように映像信号処理部１１２を制御する。また、ＣＰＵ  １１８は、情報受信部１１７を通じて受信されるユーザーの要求に応じてパソコン１４０の保存媒体１４３に保存される映像信号をディスプレイ部１１３にディスプレイするかどうかを決定して映像信号処理部１１２を制御できる。もし、ユーザーが前記保存される映像信号のディスプレイを所望しない場合に、ＣＰＵ  １１８は、前記保存される映像信号がディスプレイ部１１３にディスプレイされないように映像信号処理部１１２を制御する。しかし、ユーザーが前記保存される映像信号のディスプレイを所望する場合に、ＣＰＵ  １１８は、前記保存される映像信号がディスプレイ部１１３にディスプレイされるように映像信号処理部１１２を制御する。
【００２８】
一方、ディスプレイフォーマット及び／または保存された映像信号のディスプレイは前述したようにユーザー入力により制御されずに他の方法で入力されることもある。すなわち、ディスプレイ装置１１０に受信された放送信号に含まれるか、ＣＰＵ  １１８により使われるデフォルトディスプレイフォーマット及び／またはディスプレイ時間に含まれて入力されうる。ディスプレイ部１１３に前記保存される映像信号がディスプレイされる条件は、本発明の課題を解決するためにデフォルトと設定されることもある。もし、前記条件がデフォルトと設定された場合に、ユーザーが別途の命令を入力しなければ、ＣＰＵ  １１８は前記保存される映像信号がディスプレイ部１１３にリアルタイムでディスプレイされるように映像信号処理部１１２を制御する。しかし、前記デフォルトは、保存された映像信号をリアルタイムでディスプレイしないか、または映像信号が外部保存媒体１４３に保存された後に所定遅延を有して保存された映像信号をディスプレイすることもある。
【００２９】
図示された実施例で、保存媒体１４３に保存された任意の映像信号及び／または音声信号を再生する時、映像及び音声信号受信処理部１１１を通じて受信される映像信号及び／または音声信号がディスプレイ部１１３及び／またはスピーカー１１５を通じてリアルタイムで出力されるように、ＣＰＵ  １１８は映像信号処理部１１２及び音声信号処理部１１４を制御できる。
【００３０】
ディスプレイ部１１３はＬＣＤ、ＯＬＥＤ（有機発光ダイオード）、ＰＤＰ（プラズマ表示装置）、ＣＲＴ（陰極線管）または視覚情報を伝達する任意の他の装置である。
【００３１】
音声信号処理部１１４は、映像及び音声信号受信処理部１１１または圧縮及び復元部１１６から伝送される音声信号がスピーカー１１５を通じて出力されるように受信される音声信号を処理する。また、音声信号処理部１１４は、ＣＰＵ  １１８から提供されるパソコン１４０の保存媒体１４３に関する管理情報がスピーカー１１５を通じて出力されるように音声信号を処理できる。スピーカー１１５は音声信号処理部１１４から受信される音声信号を出力する。しかし、もし、音声信号がディスプレイ装置１１０により出力されないか、または外部スピーカーを利用すれば、音声信号プロセッサー１１４及び／またはスピーカー１１５はディスプレイ装置１１０に含まれる必要がない。
【００３２】
映像信号処理部１１２、ディスプレイ部１１３、音声信号処理部１１４及びスピーカー１１５は図示された実施例で映像信号及び／または音声信号を出力する出力ユニットである。
【００３３】
圧縮及び復元部１１６はＣＰＵ  １１８により制御される。ＣＰＵ
１１８は圧縮及び復元部１１６を所望の機能によって圧縮モードと復元モードとに設定する。圧縮モードが設定されれば、圧縮及び復元部１１６は、映像及び音声信号受信処理部１１１から出力される映像信号及び／または音声信号を圧縮する。圧縮は、例えばＭＰＥＧ−２またはＭＰＥＧ−４規格により行われるか、または適した圧縮標準により行われる。圧縮された映像信号及び／または音声信号はＵＳＢコントローラ１１９に出力される。前記ＵＳＢはＩＥＥＥ  １３９４（ＦＩＲＥＷＩＲＥ）またはＵＳＢ  ２．０のようなプロトコルが使われ、無線プロトコルは８０２．１１基盤プロトコルなどが使われる。
【００３４】
圧縮及び復元部１１６が復元モードに設定されれば、圧縮及び復元部１１６はＵＳＢコントローラ１１９を通じて受信される映像信号及び／または音声信号を元来の形態に復元する。圧縮及び復元部１１６は、復元された映像信号及び／または音声信号を映像信号処理部１１２に出力する。ここで圧縮が使われなければ、圧縮及び復元部１１６は使われる必要がない。さらに、映像信号及び／または音声信号が圧縮モードで受信されれば、圧縮及び復元部１１６は復元部としてのみ使われる。
【００３５】
情報受信部１１７は、リモコン１３０から送出されるユーザーの要求を受信するか、ディスプレイ装置１１０のフロントパネル上に備えられているボタン（図示せず）またはキー（図示せず）の制御によって発生するユーザーの要求を受信する。情報受信部１１７は受信されたユーザーの要求をＣＰＵ  １１８に伝送する。
【００３６】
ＣＰＵ  １１８は、情報受信部１１７を通じて受信されたユーザーの要求に応じて映像及び音声信号受信処理部１１１、映像信号処理部１１２、圧縮及び復元部１１６、ＵＳＢコントローラ１１９及びＯＳＤ情報生成部１２０の動作を制御する制御部である。
【００３７】
ユーザーが受信される映像信号及び／または音声信号の保存を要求すれば、ＣＰＵ
１１８は受信される映像信号及び／または音声信号がパソコン１４０の保存媒体１４３にリアルタイムで保存されるように圧縮及び復元部１１６とＵＳＢコントローラ１１９とを含むディスプレイ装置１１０の機能を制御する。
【００３８】
ユーザーがパソコン１４０の保存媒体１４３に保存されている任意の映像信号及び／または音声信号の再生を要求すれば、ＣＰＵ  １１８は前記任意の映像信号及び／または音声信号が再生されるように圧縮及び復元部１１６とＵＳＢコントローラ１１９、映像信号処理部１１２を含むディスプレイ装置１１０の機能を制御する。
【００３９】
図２は、本発明の一実施例によるディスプレイ装置１１０を運用する方法のフローチャートである。図２を参照してＣＰＵ  １１８の動作をより詳細に説明すれば次の通りである。図２の方法を具現するために、前記方法はＣＰＵ  １１８により使われるコンピュータソフトウェアにより行われる。
【００４０】
第２０１段階でＣＰＵ  １１８が、情報受信部１１７を通じてパソコン１４０の保存媒体１４３に対する制御要求を受信すれば、ＣＰＵ  １１８は第２０２段階でＯＳＤ情報生成部１２０を制御する。これにより、ＯＳＤ情報生成部１２０は、保存媒体１４３の制御のためにユーザーが要求または入力できる情報で構成されたＯＳＤ情報を生成する。生成されたＯＳＤ情報はディスプレイ部１１３に出力されてディスプレイされる。
【００４１】
このように生成されたＯＳＤ情報を参照してユーザーがリモコン１３０を通じて任意の機能を要求すれば、情報受信部１１７が前記要求信号を受信してＣＰＵ  １１８に伝送する。
【００４２】
これにより、第２０３段階でＣＰＵ  １１８が受信される映像信号及び／または音声信号の保存がユーザーから要求された判断されれば、第２０４段階でＣＰＵ  １１８は圧縮及び復元部１１６を圧縮モードで制御する。リモコン１３０を利用したユーザーの要求に応じてＣＰＵ  １１８は、受信する映像信号及び／または音声信号をディスプレイ部１１３及び／またはスピーカー１１５に出力するかどうかを決定できる。
【００４３】
その後、第２０５段階でＣＰＵ  １１８はＵＳＢコントローラ１１９を通じてパソコン１４０に保存命令を送出する。パソコン１４０に含まれている保存媒体１４３に受信された放送信号または外部ＡＶ機器から受信された映像信号及び／または音声信号を保存するために、パソコン１４０とディスプレイ装置１１０間に所定の情報が送受信される。前記所定の情報は、パソコン１４０とディスプレイ装置１１０間に信号を送受信するための環境を設定するために使われる情報である。
【００４４】
第２０６段階でＣＰＵ  １１８は、圧縮及び復元部１１６で圧縮された映像及び／または音声信号がＵＳＢコントローラ１１９及びＵＳＢ端子１４１によりパソコン１４０に送出されるように制御する。前記圧縮された映像及び／または音声信号は、任意の放送信号または外部ＡＶ機器から伝送された映像信号及び／または音声信号のうちひとつであって、ユーザーにより選択された信号である。第２０７段階で保存終了が要求されたと判断されれば、ＣＰＵ  １１８は保存動作を終了する。しかし、第２０７段階で保存終了が要求されていないと判断されれば、ＣＰＵ  １１８は第２０６段階に戻って保存終了を要求する信号が受信されるまで保存動作を行い続ける。
【００４５】
一方、第２０３段階で保存が要求されず、第２０８段階でユーザーから保存媒体１４３に保存されている任意の映像信号及び／または音声信号の再生が要求されたと判断されれば、ＣＰＵ  １１８は第２０９段階で圧縮及び復元部１１６を復元モードに設定されるように制御する。そして、第２１０段階で、ＣＰＵ  １１８はＵＳＢコントローラ１１９を通じてパソコン１４０に再生命令を送出する。
【００４６】
これにより、第２１１段階でＵＳＢコントローラ１１９を通じてパソコン１４０から映像及び／または音声信号が受信されれば、ＣＰＵ  １１８は、第２１２段階で受信された映像及び／または音声信号が圧縮及び復元部１１６で復元されてディスプレイ部１１３にディスプレイされるように圧縮及び復元部１１６と映像信号処理部１１２とを制御する。
【００４７】
第２１３段階でユーザーから再生終了が要求されたと判断されれば、ＣＰＵ  １１８は再生作業を終了する。しかし、再生終了が要求されていないと判断されれば、ＣＰＵ  １１８は第２１１段階に戻って再生終了を要求する信号が受信されるまで再生動作を行い続ける。
【００４８】
ＵＳＢコントローラ１１９は、ＣＰＵ  １１８により制御されてＵＳＢ規格に応じて圧縮及び復元部１１６から伝送された圧縮された映像及び／または音声信号はパソコン１４０に伝送し、パソコン１４０から伝送される圧縮された映像及び／または音声信号はＵＳＢ標準に応じて圧縮及び復元部１１６に伝送する。また、ＵＳＢコントローラ１１９は、ＣＰＵ  １１８から伝送される保存要求命令または再生要求命令はパソコン１４０に送出する。しかし、圧縮及び復元部１１６とパソコン１４０間にはＵＳＢ以外のプロトコルが使われうる。
【００４９】
リモコン１３０は、ディスプレイ部１１３を通じてディスプレイされるＯＳＤ情報を参照してユーザーの所望の要求事項を入力できるように構成される。リモコン１３０の代わりに他の入力ディバイスが使われうる。前記ＯＳＤ情報は他の方法でディスプレイされうる。すなわち、ＯＳＤ情報は、リモコン１３０上のディスプレイまたは個人デジタル補助器上のディスプレイにディスプレイされうる。
【００５０】
パソコン１４０は、ＵＳＢ端子１４１とＣＰＵ  １４２及び保存媒体１４３で構成される。保存媒体１４３はディスプレイ装置１１０の外部保存媒体である。したがって、ディスプレイ装置１１０から保存要求命令または再生要求命令がＵＳＢ端子１４１を通じて受信されれば、前記保存要求命令または再生要求命令はＣＰＵ  １４２に伝送される。また、前記保存及び再生のためにディスプレイ装置１１０とパソコン１４０間の環境を設定するために送受信される信号はＵＳＢ端子１４１を通じてＣＰＵ  １４２に伝送される。
【００５１】
保存命令が受信された後、ＵＳＢ端子１４１を通じて圧縮された映像及び／または音声信号が受信されれば、ＣＰＵ  １４２により制御されて前記受信された映像及び／または音声信号は保存媒体１４３に保存される。しかし、再生命令が受信されれば、ＣＰＵ  １４２は、保存媒体１４３に保存されている任意の映像及び／または音声信号がＵＳＢ端子１４１を通じてディスプレイ装置１０に伝送されるように保存媒体１４３を制御する。
【００５２】
前述したパソコン１４０の代わりに、ＵＳＢ端子及びＣＰＵが備えられているデジタルカムコーダ、個人デジタル補助器、デジタル再生器（ＭＰ３プレーヤーなど）、またはメモリカードまたはビデオカメラを使用できる。また、保存媒体１４３は、ハードディスク（ＨＤＤ）や記録可能なコンパクトディスク、ＤＶＤ、ブルー・レイ（青色光）ディスクまたはアドバンスド光ディスク（ＡＯＤ）などの光媒体でありうる。
【００５３】
前述した実施例は、ディスプレイ装置１１０を制御してディスプレイ装置１１０とパソコン１４０間に信号を送受信できる環境を設定した後、映像及び音声信号受信処理部１１１を通じて受信された映像信号及び／または音声信号を圧縮してパソコン１４０に備えられている保存媒体１４３にリアルタイムで保存するか、保存媒体１４３に保存されている任意の映像及び／または音声信号を再生して復元する場合である。この時、ユーザーはディスプレイ部１１３にディスプレイされるＯＳＤ情報またはスピーカー１１５を通じて出力される音声案内情報を参照して前記保存／再生を要求できる。
【００５４】
図３に示された本発明の課題によって、パソコン１４０に含まれているＣＰＵ
１４２の関与なしにディスプレイ装置１１０のＣＰＵ  １１８が保存媒体１４３を直接制御しつつ前記保存／再生を行うように構成できる。
【００５５】
第３０１段階でユーザーが保存媒体１４３に対する制御を要求すれば、第３０２段階でＣＰＵ  １１８は、保存媒体１４３に対する仮想ファイルシステム（すなわち、前記保存されたデータを管理するためのシステム）を形成する。ＣＰＵ  １１８は、パソコン１４０のＣＰＵ  １４２が管理するか、または保存媒体１４３に保存されているファイルシステムをＵＳＢコントローラ１１９を通じてダウンロードして前記仮想ファイルシステムを形成できる。しかし、前記仮想ファイルシステムはディスプレイ装置１１０に保存されることもある。本発明の課題によって、前記仮想ファイルシステムは物理的なファイルシステムの抽象的な概念であり、多重ファイルシステムと遠距離及び近距離いずれでも一貫したインターフェースを許容し、まるでファイルが一貫したファイルシステム内にあるように多くの他のファイルシステムタイプを参照するためのシングルディレクトリを許容する。しかし、他のファイルシステムはファイルシステムが仮想でも何でもＣＰＵ  １１８が保存媒体１４３に保存されている音声及び／または映像データのアクセスを許容するかぎり使われうる。
【００５６】
第３０３段階で前記仮想ファイルシステムを利用してＣＰＵ  １１８は保存媒体１４３に関する管理情報を生成する。この時、管理情報は、保存媒体１４３の保存可能な容量に対応する時間情報、保存媒体１４３に保存された映像信号及び／または音声信号のリスト情報を含む。前記管理情報はＯＳＤ情報または音声信号として出力されうる。
【００５７】
この時、ユーザーに保存媒体１４３の制御を許容するために、図２の第２０２段階でのようにユーザーが要求または入力できる情報もＯＳＤまたは音声信号として出力されうる。また、保存媒体１４３に保存された映像信号及び音声信号が複数である場合に、前記リスト情報は前記複数の信号に関するインデックス情報を含む。したがって、ユーザーはリスト情報に基づいて所望の映像信号及び音声信号を選択して再生できる。前記リスト情報は、ユーザーから受信された入力に関する検索結果を含むことができる。
【００５８】
第３０４段階でユーザーが受信される映像信号及び／または音声信号の保存を要求すれば、第３０５段階でＣＰＵ  １１８は圧縮及び復元部１１６を圧縮モードで制御する。
【００５９】
その後、第３０６段階でＣＰＵ  １１８は、圧縮及び復元部１１６で圧縮された映像及び／または音声信号がＵＳＢコントローラ１１９を通じてパソコン１４０に送出されるようにＵＳＢコントローラ１１９を制御する。これにより、パソコン１４０の保存媒体１４３は、ＣＰＵ  １４２の関与なしにＵＳＢ端子１４１を通じて受信された映像信号及び／または音声信号を保存する。
【００６０】
前記圧縮された映像及び／または音声信号は、任意の放送信号または外部ＡＶ機器から伝送された映像信号及び／または音声信号のうちひとつであって、ユーザーにより選択された信号である。また、前記映像信号及び／または音声信号を保存する時、保存される映像信号及び／または音声信号はディスプレイ部１１３及び／またはスピーカー１１５に出力されうる。
【００６１】
第３０７段階でユーザーが保存終了を要求すれば、ＣＰＵ  １１８は保存動作を終了する。しかし、第３０７段階でユーザーが保存終了を要求していないと判断されれば、ＣＰＵ  １１８は第３０６段階に戻って保存終了を要求する信号が受信されるまで圧縮された映像信号及び／または音声信号を保存する。
【００６２】
一方、第３０４段階で保存が要求されず、第３０８段階でユーザーから保存媒体１４３に保存されている任意の映像信号及び／または音声信号の再生が要求されれば、ＣＰＵ  １１８は第３０９段階で圧縮及び復元部１１６を復元モードで制御する。
【００６３】
そして、第３１０段階でＣＰＵ  １１８は、ＵＳＢコントローラ１１９を通じてパソコン１４０の保存媒体１４３から前記任意の映像及び／または音声信号を再生する。第３１１段階でＣＰＵ  １１８は、前記再生した映像及び／または音声信号を圧縮及び復元部１１６で復元し、復元された映像信号及び／または音声信号がディスプレイ部１１３にディスプレイされるように映像信号処理部１１２を制御する。この時、再生される映像信号は、映像及び音声信号受信処理部１１１を通じて受信される映像信号と共にＰＩＰまたはＰＢＰフォーマットでディスプレイされるように制御されうる。
【００６４】
第３１２段階でユーザーが再生終了を要求すれば、ＣＰＵ  １１８は再生作業を終了する。しかし、ユーザーが再生終了を要求しなければ、ＣＰＵ  １１８は第３１０段階に戻って再生終了を要求する信号が受信されるまで再生動作を行う。
【００６５】
図４は、本発明の他の実施例によるディスプレイ装置とその周辺装置の機能ブロック図である。図４に示されたシステムは、アンテナ４００、ディスプレイ装置４１０、リモコン４３０、及び保存及び再生装置４４０で構成される。アンテナ４００及びリモコン４３０は一般的に図１に示されたアンテナ１００及びリモコン１３０と同様である。
【００６６】
ディスプレイ装置４１０は、保存／再生しようとする映像及び／または音声信号を圧縮または復元せずにそのまま保存／再生するように構成される。
【００６７】
したがって、ディスプレイ装置４１０は、映像及び音声信号受信処理部４１１、映像信号処理部４１２、ディスプレイ部４１３、音声信号処理部４１４、スピーカー４１５、情報受信部４１７、ＣＰＵ  ４１８、ＵＳＢコントローラ４１９、ＯＳＤ情報生成部４２０で構成される。
【００６８】
映像及び音声信号受信処理部４１１は、アンテナ４００または外部ＡＶ機器（図示せず）から映像及び／または音声信号を受信する。映像及び音声信号受信処理部４１１は、ＣＰＵ  ４１８により制御されて受信された映像信号を映像信号処理部４１２及び／またはＵＳＢコントローラ４１９に出力する。映像及び音声信号受信処理部４１１は、ＣＰＵ  ４１８により制御されて受信された音声信号を音声信号処理部４１４または／及びＵＳＢコントローラ４１９に出力する。
【００６９】
映像信号処理部４１２、ディスプレイ部４１３、音声信号処理部４１４、スピーカー４１５、情報受信部４１７、及びＯＳＤ情報生成部４２０は図１の映像信号処理部１１２、ディスプレイ部１１３、音声信号処理部１１４、スピーカー１１５、情報受信部１１７、及びＯＳＤ情報生成部１２０と同一に動作する。
【００７０】
受信される映像信号及び／または音声信号を保存する時、ＵＳＢコントローラ４１９は、ＣＰＵ  ４１８により制御されて映像及び音声信号受信処理部４１１から出力された映像及び／または音声信号を保存及び再生装置４４０に伝送する。また、保存媒体４４２に保存されている任意の映像信号及び／または音声信号を再生する時、ＵＳＢコントローラ４１９は、保存及び再生装置４４０から伝送される映像信号は映像信号処理部４１２で出力し、保存及び再生装置４４０から伝送される音声信号は音声信号処理部４１４に出力する。もし、受信された信号が圧縮されて受信されず、圧縮または復元が前記受信された信号にさらに行われなければ、映像信号処理部４１２及び音声信号処理部４１４を使用する以外にさらなる復元が要求されない。
【００７１】
ＣＰＵ  ４１８は図５のフローチャートのように動作する。図５は本発明のまた他の実施例によるディスプレイ装置の運用方法のフローチャートである。図５の方法はＣＰＵ  ４１８により使われるコンピュータソフトウェアとして具現されうる。
【００７２】
図５を参照すれば、第５０１段階でユーザーから保存媒体４４２に対する制御が要求されれば、第５０２段階でＣＰＵ  ４１８は保存媒体４４２に対する仮想ファイルシステムを形成する。ＣＰＵ  ４１８は、保存媒体４４２に保存されているファイルシステムをＵＳＢコントローラ４１９を通じてダウンロードし、ダウンロードされたファイルシステムを利用して前記仮想ファイルシステムを形成できる。しかし、前記仮想ファイルシステムはディスプレイ４１０に保存されうる。前記ファイルシステムは保存媒体４４２から得られるよりは他の方法で得られる。
【００７３】
第５０３段階で、前記仮想ファイルシステムを利用してＣＰＵ  ４１８は保存媒体４４２に関する管理情報を生成する。この時、管理情報は、保存媒体４４２の保存可能な容量に対応する時間情報、保存媒体４４２に保存された映像信号及び／または音声信号のリスト情報を含む。前記管理情報はＯＳＤ情報または音声信号として出力されうる。
【００７４】
保存媒体４４２に対する制御をユーザーに許容するために、図２の第２０２段階でのようにユーザーが要求または入力できる情報もＯＳＤまたは音声信号として出力されうる。また、保存媒体４４２に保存された映像信号及び音声信号が複数である場合に、前記リスト情報は複数の映像信号及び音声信号のインデックス情報を含む。したがって、ユーザーはリスト情報に基づいて再生を所望する映像信号及び音声信号を選択できる。前記リスト情報はユーザーから受信された入力に関する検索結果を含むことができる。
【００７５】
第５０４段階でユーザーが受信される映像信号及び／または音声信号の保存を要求すれば、第５０５段階でＣＰＵ  ４１８は、映像及び音声信号受信処理部４１１から出力される映像信号及び／または音声信号がＵＳＢコントローラ４１９を通じて保存及び再生装置４４０に送出されるように制御する。これにより保存及び再生装置４４０は、ＵＳＢ端子４４１を通じて受信される映像及び／または音声信号を保存媒体４４２に保存する。
【００７６】
前記映像信号及び／または音声信号を保存媒体４４２に保存する時、保存される映像信号及び／または音声信号をディスプレイ部４１３及び／またはスピーカー４１５に出力できる。
【００７７】
第５０６段階で保存終了が要求されたと判断されれば、ＣＰＵ  ４１８は保存動作を終了する。しかし、第５０６段階で保存終了が要求されていないと判断されれば、ＣＰＵ  ４１８は、第５０５段階に戻って保存終了を要求する信号が受信されるまで受信される映像信号及び／または音声信号を保存及び再生装置４４０に送出する。
【００７８】
一方、第５０４段階で保存が要求されず、第５０７段階でユーザーから保存媒体４４３に保存されている任意の映像信号及び／または音声信号の再生が要求されれば、ＣＰＵ  ４１８はＵＳＢコントローラ４１９を通じて第５０８段階で、保存及び再生装置４４０の保存媒体４４２から前記任意の映像信号及び／または音声信号を再生する。保存媒体４４２に複数の映像信号及び／または音声信号が保存された場合、前記読まれた映像信号及び／または音声信号は複数の映像信号及び／または音声信号のうち一つでありうる。
【００７９】
そして、第５０９段階でＣＰＵ  ４１８は、再生した映像信号及び／または音声信号が映像信号処理部４１２及び音声信号処理部４１４にそれぞれ伝送されるようにディスプレイ装置４１０を制御する。これにより、ディスプレイ部４１３及びスピーカー４１５は再生される映像信号及び音声信号をそれぞれ出力する。再生される映像信号は、映像及び音声信号受信処理部４１１を通じて受信される映像信号と共にＰＩＰまたはＰＢＰフォーマットでディスプレイされるように制御されうる。
【００８０】
第５１０段階でユーザーから再生終了が要求されたと判断されれば、ＣＰＵ  ４１８は再生作業を終了する。しかし、再生終了が要求されていないと判断されれば、ＣＰＵ  ４１８は第５０８段階に戻って再生終了を要求する信号が受信されるまで再生動作を行う。
【００８１】
図４の保存及び再生装置４４０は、ＣＰＵを備えていないメモリカードでありうる。しかし、保存及び再生装置４４０は記録／再生期間中に使われていないＣＰＵを含むことができる。保存及び再生装置４４０は、ＵＳＢ端子４４１を通じて映像及び／または音声信号が受信されれば、受信された映像信号及び／または音声信号を保存媒体４４２に保存する。また、保存媒体４４２に保存された任意の映像信号及び／または音声信号をＵＳＢ端子４４１を通じて出力する。このような保存媒体４４２の保存及び再生は、ＣＰＵ  ４１８に形成されている仮想ファイルシステムを利用してＣＰＵ  ４１８により制御される。
【００８２】
前記実施例でＣＰＵ（または制御器）は、記録可能な媒体にコーディングされたコンピュータプログラムを使用して前記方法を具現するコンピュータでありうる。前記コンピュータはファームウェアを有するチップで具現されるか、前記方法を行うための一般的または特別な目的のコンピュータプログラムで具現されることができる。さらに前記ディスプレイ装置は、音声受信器のように映像信号をディスプレイせずに他の受信された信号を再生する装置または音声データ及びディスプレイされる他のデータ（イメージデータ及び／またはテキスト情報）を受信する装置のように使われうる。前記ディスプレイ装置にディスプレイされる映像信号は、前記受信された信号を外部保存媒体に記録する間に前記外部保存媒体から再生される。
【００８３】
本発明は前述した実施例に限定されず、本発明の思想内で当業者による変形が可能であることはもちろんである。したがって、本発明で権利を請求する範囲は特許請求の範囲内で定められる。
【産業上の利用可能性】
【００８４】
本発明は映像信号及び／または音声信号をディスプレイ装置、特に、ディスプレイ装置に連結されているパソコンまたは他の電子装置の関与なしにディスプレイ装置に連結されている外部保存媒体にディスプレイ装置から受信した映像信号及び／または音声信号を保存し、外部保存媒体に保存されている複数の映像信号及び／または音声信号のうちユーザーが所望する映像信号及び／または音声信号を再生できるディスプレイ装置とその運用方法に適用できる。
【図面の簡単な説明】
【００８５】
【図１】本発明の一実施例によるディスプレイ装置とその周辺装置のブロック図である。
【図２】本発明の一実施例によるディスプレイ装置を運用する方法のフローチャートである。
【図３】本発明の他の実施例によるディスプレイ装置を運用する方法のフローチャートである。
【図４】本発明の他の実施例によるディスプレイ装置とその周辺装置の機能ブロック図である。
【図５】本発明のまた他の実施例によるディスプレイ装置を運用する方法のフローチャートである。
【符号の説明】
【００８６】
１００  アンテナ
１１０  ディスプレイ装置
１１１  映像及び音声信号受信処理部
１１２  映像信号処理部
１１３  ディスプレイ部
１１４  音声信号処理部
１１５  スピーカー
１１６  圧縮及び復元部
１１７  情報受信部
１１８  ＣＰＵ
１１９  ＵＳＢコントローラ
１２０  ＯＳＤ情報生成部
１３０  リモコン
１４０  パソコン
１４１  ＵＳＢ端子
１４２  ＣＰＵ
１４３  保存媒体
【図１】
2004282754.tif 000003
【図２】
2004282754.tif 000004
【図３】
2004282754.tif 000005
【図４】
2004282754.tif 000006
【図５】
2004282754.tif 000007